(57)【要約】【課題】腕帯が使用者などの衣類と不用意に固定されてしまうのを防止する血圧計用腕帯を提供する。【解決手段】血圧計などに用いられる腕帯１は、被測定者の上腕に巻かれるカフカバー１１と、カフカバー内に設けられた収容部１３に収容される阻血用空気袋１２と、面ファスナとを備える。面ファスナは、収容部の近傍に設けられた雄の面ファスナ１４と、雄の面ファスナ１４が設けられたカフカバー１１の面とは反対の面、かつ反対の端部付近に設けられた雌の面ファスナとを有する。【選択図】図１
2020178862.tif 000002
【特許請求の範囲】
【請求項１】
被測定者の上腕に巻いて血圧を測定する血圧計に用いられる腕帯であって、
前記腕帯は、
空気を送ることで前記上腕の動脈を圧迫して阻血する阻血用空気袋と、
前記阻血用空気袋を内部に収容可能な収容部を有するカフカバーと、
前記カフカバーの外面部にそれぞれ設けられた面ファスナと、を有し、
前記収容部近傍の外面部には雄の面ファスナが設けられ、
収容部が設けられた側の反対の端部には、前記雄の面ファスナが設けられた外周面とは反対の面に雌の面ファスナが設けられている、ことを特徴とする腕帯。
【請求項２】
請求項１記載の腕帯において、
前記カフカバーの一端部に前記収容部が位置し、前記雄の面ファスナは収容部の位置する側と同一の端部に設けられ、雌の面ファスナは他端に位置している、ことを特徴とする腕帯。
【請求項３】
請求項２記載の腕帯において、
さらに、前記雌の面ファスナの大きさは前記雄の面ファスナの大きさよりも小さい、ことを特徴とする腕帯。
【発明の詳細な説明】
【技術分野】
【０００１】
本発明は、主に血圧を測定するための装置に用いられる腕帯に関する。
【背景技術】
【０００２】
例えば、特許文献１には、血圧計として、例えば腕帯部へ送気するための送気球と血圧計本体部とを一体化した手動加圧方式のものがある。この種の腕帯部は、動脈を阻血するための阻血用空気袋と、この阻血用空気袋に付けてある動脈拍動検出用の空気袋を有している。医療従事者が手動で送気球を握ったり離したりすることで、血圧計本体部からチューブを通して腕帯部内の阻血用空気袋に空気を送って、患者の上腕を加圧して血圧を測定する。
【先行技術文献】
【特許文献】
【０００３】
【特許文献１】特開２０１３-１９２８７７号公報
【発明の概要】
【発明が解決しようとする課題】
【０００４】
ところで、この種の血圧計の腕帯部は、腕帯部を患者の上腕に巻き付けて使用する。より具体的には、医療従事者は、この阻血用空気袋と動脈拍動検出用の空気袋を、上腕の動脈に位置合わせして腕帯部を患者の上腕に巻き付けて固定する。そして、腕帯部には、上腕部に腕帯を巻き付けるための面ファスナが設けられている。しかしながら、医療現場において、この腕帯を患者などに巻き付ける際、誤って面ファスナが患者や医療従事者の衣類、シーツなどの布部といったものに触れることで衣類と面ファスナとが絡み合い、場合によっては衣類を破損させてしまう(絡まることで衣類にダメージを与えてしまう)ことがあった。
【０００５】
そこで、本発明は、患者の上腕に腕帯を固定する際、腕帯が患者や医療従事者の衣類などに絡まることを確実に防止することができる血圧計用の腕帯を提供することを目的とする。
【課題を解決するための手段】
【０００６】
上記の目的を達成するため、本発明は、
被測定者の上腕に巻いて血圧を測定する血圧計に用いられる腕帯であって、
前記腕帯は、
空気を送ることで前記上腕の動脈を圧迫して阻血する阻血用空気袋と、
前記阻血用空気袋を内部に収容可能な収容部を有するカフカバーと、
前記カフカバーの外面部にそれぞれ設けられた面ファスナと、を有し、
前記収容部近傍の外面部には雄の面ファスナが設けられ、
収容部が設けられた側の反対の端部には、前記雄の面ファスナが設けられた外周面とは反対の面に雌の面ファスナが設けられている、ことを特徴とする
また、前述の腕帯は、さらに、
前記カフカバーの一端部に前記収容部が位置し、前記雄の面ファスナは収容部の位置する側と同一の端部に設けられ、雌の面ファスナは他端に位置していることを特徴とする。
さらに、前記雌の面ファスナの大きさは前記雄の面ファスナの大きさよりも小さい、ことを特徴とする。
【発明の効果】
【０００７】
本発明に係る血圧計用腕帯では、雌の面ファスナを、腕帯を巻き付ける際の巻き付ける側（巻き付ける際に使用者が操作する側）に設けることで、面ファスナが患者の衣類に絡まることを予防でき、腕帯巻き付け時に誤って衣類などに面ファスナが接触した場合であっても、衣類を破損させることを防止することができる。
【図面の簡単な説明】
【０００８】
【図１】本発明の第１実施形態に係る血圧計に適用する腕帯の概略構成図である。
【図２】図１の血圧計用腕帯の断面概略図である。
【図３】図１の血圧計用腕帯の使用状態のときの説明図である。
【発明を実施するための形態】
【０００９】
本発明に係る血圧計用腕帯について好適な実施形態を挙げ、添付の図面を参照しながら詳細に説明する。なお、以下の図において、同一又は同様の機能及び効果を奏する構成要素に対しては同一の参照符号を付し、繰り返しの説明を省略する場合がある。
【００１０】
図１〜図３に示すように、本発明の第１実施形態に係る血圧計は、腕帯１と、血圧計本体２および腕帯１と血圧計本体２とをつなぐチューブ３から構成されている。
【００１１】
この腕帯１は、患者(被測定者)の上腕Ｔに直接巻かれるものである。
腕帯１は、図３のように腕帯が腕に巻かれるように使用され、帯状のカフカバー１１と、長方形状のカフである阻血用空気袋１２、および阻血用空気袋１２を収容する収容ポケット１３を有する。
【００１２】
カフカバー１１は、帯状で構成され、被測定者の上腕Ｔに巻き付けられて使用されるため、ある程度の伸縮性を有する素材で構成されている。素材として例えば、非伸縮性のポリアミド(ナイロン)や綿素材などを用いることができる。
【００１３】
さらに、カフカバー１１は、被測定者の上腕Ｔに巻き付けられるのに十分なサイズを有している。サイズとしては、被測定者の腕周りの寸法を考慮し、例えば、SSサイズ（上腕周囲１３〜２０ｃｍに適用）、Sサイズ（１７〜２６ｃｍ）、Mサイズ（２４〜３２ｃｍといった複数のサイズを用意することができる。
【００１４】
カフカバー１１は、長方形状の阻血用空気袋１２を備えている。
阻血用空気袋１２は、内部に後述する血圧計本体２から供給された空気を収容するように構成され、供給された空気量に応じて膨らむように構成されている。阻血用空気袋１２は、空気を供給され、膨らむことによって、被測定者の動脈を圧迫し、阻血状態とすることができる。阻血用空気袋１２は、天然ゴム、合成ゴム、エラストマーなどの素材で構成されている。また、阻血用空気袋１２は、その内部の空間と連通し、血圧計本体へと延びるチューブ３が接続されている。
【００１５】
収容ポケット１３は、阻血用空気袋１２をカフカバー１１内に収容するための収容部として構成されている。
収容ポケット１３は、帯状に構成されたカフカバー１１の長軸方向の一端に阻血用空気袋１２を収容するのに十分な空間をもって形成されており、阻血用空気袋１２が不用意に収容ポケットから脱落するのを防止するため、開放部に図示しないファスナなどで閉じることができるよう構成されている。また、収容ポケット１３からは、チューブ３が露出する形で構成されている。
【００１６】
一方、カフカバー１１の外表面には、それぞれの面に腕帯１を上腕Ｔに巻き付けた際に固定するための固定部として機能する雄の面ファスナ１４および雌の面ファスナ１５が設けられている。雄の面ファスナ１４、雌の面ファスナ１５は、一対の着脱自在な係合部として機能し、雄の面ファスナ１４は、凸状を複数有する構造を有し、雌の面ファスナ１５は、凹部を複数有する構造を有している。面ファスナとしては、例えばマジックテープ（登録商標）などがあげられる。
【００１７】
雄の面ファスナ１４は、カフカバー１１の外面の前記収容部１３を有する位置に設けられている。言い換えると、図２のように、カフカバー１１の収容部１３が設けられた側の上部側に設けられている。また、雄の面ファスナ１４のサイズとしては、被測定者の上腕の周囲の個人差を考慮し、例えばSSサイズでは１０ｃｍ、Sサイズでは１２ｃｍといった形である程度余裕を持たせてもよい。
【００１８】
一方、雌の面ファスナ１５は、カフカバー１１の前記雄の面ファスナ１４が位置する外面とは逆の外面に設けられている。言い換えると、図２のように、カフカバー１１の下方側、かつ収容部１３が設けられた側とは反対の端部に設けられている。また、雌の面ファスナ１５は、雄の面ファスナ１４に比べてサイズとしては小さく設けられている。
【００１９】
また、カフカバー１１の外面には、任意の表示を設けることができる。例えば巻き付ける際にチューブ３が確実に手首側に位置するように施す表示や、巻き付け方向を示唆するような表示など、任意の表示を設けることが可能である。
【００２０】
次に、血圧計本体２について、図１を参照して説明する。
血圧計本体２は、筐体２１、前述の阻血用空気袋１２に空気を供給するための送気球２２、血圧などを表示するゲージ２３とからなる。
【００２１】
筐体２１は、樹脂製の素材で構成され、チューブ３との接続ポート２３、内部に図示しない圧力測定部２５、排気バルブ２６とから構成されている。
【００２２】
送気球２２は、チューブ３を介して、阻血用空気袋１２内の空間に空気を供給する。送気球２２は、医療従事者が加圧操作することで内部の空気を供給する。送気球２２としては、例えばゴム気球などがあげられる。
【００２３】
接続ポート２４は、一端がチューブ３と着脱可能に接続され、他端は送気球２２に接続される。また、接続ポート２４には、送気球２２から送気された空気によって膨らんだ阻血用空気袋１２内の圧力を算出するための圧力測定部２５と、阻血用空気袋１２内の空気を排気するための排気バルブ２６が接続されている。
【００２４】
圧力測定部２５は、阻血用空気袋１２内の圧力を測定するもので、ブルドン管を用いたブルドン管圧力計やダイアフラム式圧力計、静電容量式圧力計など、既知の圧力計を適用することができる。
【００２５】
排気バルブ２６は、阻血用空気袋１２内の空気を排気するための一方向弁（逆止弁）であり、血圧測定終了時、または異常時など緊急で阻血状態を解除したい場合などに操作することで、阻血用空気袋１２内の空気を排出することができる。
【００２６】
ゲージ２３は、圧力測定部２５で測定された圧力値を表示する表示部である。表示部として、圧力値をｐｓｉやｍｍHgなどの実測値表記、または換算値として表示することができる。
【００２７】
以上、血圧計本体２の説明であったが、本実施形態のようなマニュアル式に限らず、電動式のような電気的に空気を供給することで阻血用空気袋１２を加圧し、圧力を電気的に測定して表示させてもよい。この場合、筐体２１には、そのための電気回路や電力(電池)などを備える構成とすればよい。
【００２８】
続いて、チューブ３について説明する。チューブ３は前述の通り、阻血用空気袋１２内の空間と連通し、送気球２２から供給された空気の流路として機能する。
本実施形態に係る血圧計は基本的には上記のように構成される。
【００２９】
続いて、この血圧計を用いて、被測定者の血圧を測定する方法(使用方法)について説明する。図３のように、患者（被測定者）の上腕Ｔに対して、直接腕帯１を巻き付けて固定する。
【００３０】
図３に示すように、腕帯１のカフカバー１１のうち、雄の面ファスナ１４が設けられた一端側をチューブ３が手首側になるように、かつ患者の動脈の位置に図示しない表示部を合わせるように上腕の上にのせる。
【００３１】
次に、カフカバー１１のうち、雌の面ファスナ１５が設けられた他端側を上腕Ｔの下を通して巻き付ける。この時、雌の面ファスナ１５は、固定されるまでの間、任意の位置に存在するが、従前の雄の面ファスナ１４の場合と異なり、患者などの衣類と接触をしても、雌の面ファスナ１５は絡み合うことがない。そして、雌の面ファスナ１５と雄の面ファスナ１４とがきちんと係合するように固定する。このようにして、カフカバーが上腕Ｔに対して正しい位置で固定される。
【００３２】
次に、正しい位置に腕帯が固定されたことを確認したら、血圧計本体２の送気球２２を操作し、阻血用空気袋１２内に空気を供給していく。この際、ゲージ２３中の圧力値を必要に応じて都度確認しながら、所定値まで加圧（阻血状態）し、血圧測定を行う。
【００３３】
血圧測定が終了した後は、排気バルブ２６を操作し、阻血用空気袋１２内の空気を排気し、面ファスナ（雄の面ファスナ１４および雌の面ファスナ１５）の固定を解除し、阻血状態を解除する。
【００３４】
以上のように、本血圧計は巻き付ける側の面に雌の面ファスナ１５が位置していることで、腕帯を上腕に固定する際、面ファスナが患者や医療従事者の衣類などに絡まることを予防することができ、衣類などの損傷を防止することができるとともに、従来と同じ操作で簡便に確実な血圧測定を実現することが可能となる。
【００３５】
なお、本発明は上記実施形態に限定されるものではなく、特許請求の範囲を逸脱しない範囲で主種の変更が可能である。
例えば、図示した血圧計は手動加圧式のものであるが、これに限定されるものではなく、自動式の血圧計にも適用することはできる。
また、使用される場所も、病院や検診センター、献血センターなどの各種医療機関、患者などの一般家庭など様々な様態で使用可能である。
【符号の説明】
【００３６】
１  …腕帯                                ２  …血圧計本体
３  …チューブ                            １１…カフカバー
１２…阻血用空気袋                        １３…収納ポケット
１４…雄の面ファスナ                      １５…雌の面ファスナ
２１…筐体                                ２２…送気球
２３…ゲージ                            ２４…接続ポート
２５…圧力測定部                        ２６…排気バルブ
【図１】
2020178862.tif 000003
【図２】
2020178862.tif 000004
【図３】
2020178862.tif 000005